(57)【要約】【課題】容器本体に収容された内容物の漏れを充分に抑制でき、かつキャップの装着及び取り外しが容易な容器を提供することを目的とする。【解決手段】口頸部９を有する容器本体２と、口頸部９に着脱自在に設けられた計量キャップ３とを備え、計量キャップ３は、口頸部９に装着されたときに口頸部９の外周面に沿わせられる外壁部２５を備え、外壁部２５の内面と口頸部９の外周面には、口頸部９に対する計量キャップ３の相対的な上方移動を規制する係合部が形成され、口頸部９の外周面には、上下方向に延び、かつ計量キャップ３の回動方向に傾斜した案内凸条部１８が形成され、外壁部２５の内面には、計量キャップ３が口頸部９に装着されたときに案内凸条部１８の上面に接し、計量キャップ３が口頸部９に装着された状態で回動されたときに案内凸条部１８の上面を摺動する案内突起が形成されている、容器１。【選択図】図１
2016101945.tif 000002
【特許請求の範囲】
【請求項１】
口頸部を有し、液状または粉状の内容物を収容可能な容器本体と、前記口頸部に着脱自在に設けられたキャップとを備える容器であって、
前記キャップは、前記口頸部に装着されたときに前記口頸部の外周面に沿わせられる外壁部を備え、前記口頸部に装着された状態で前記口頸部の軸周りの少なくとも一方向に回動でき、
前記外壁部の内面と前記口頸部の外周面には、前記口頸部に対する前記キャップの相対的な上方移動を規制する係合部が形成され、
前記口頸部の外周面には、上下方向に延び、かつ前記キャップの回動方向に傾斜した案内凸条部が形成され、
前記外壁部の内面には、前記キャップが前記口頸部に装着されたときに前記案内凸条部の上面に接し、前記キャップが前記口頸部に装着された状態で回動されたときに前記案内凸条部の上面を摺動する案内突起が形成されている、容器。
【請求項２】
前記キャップが、前記口頸部内に一部挿入される計量筒部と、前記計量筒部の一側開口端を閉じる蓋部と、前記計量筒部の周面から外方に張り出し、前記口頸部の上端の開口部に被せられる張出板部と、前記張出板部の外縁部から垂下され、前記口頸部に装着されたときに前記口頸部の外周面に沿わせられる延出片からなる２つ以上の外壁部と、を備え、前記外壁部が軸周りに離間している計量キャップであり、請求項１に記載の容器。
【請求項３】
前記延出片からなる外壁部が、前記計量キャップが前記口頸部に装着されたときに前記口頸部の軸線に対して対称位置となるように２つ形成されている、請求項２に記載の容器。
【発明の詳細な説明】
【技術分野】
【０００１】
本発明は、容器に関する。
【背景技術】
【０００２】
例えば、柔軟剤、液体洗剤等の液状の内容物を収容する容器本体に装着されるキャップとしては、一般的に計量機能を備え、計量した内容物を外側から視認できるように外壁部が透明になっている計量キャップが広く用いられている。このような計量キャップでは、外壁部の内側に位置する計量筒部に計量線等が印刷や成形によるレリーフとして形成されている。
【０００３】
容器本体の口頸部にキャップを装着する態様としては、液状の内容物が輸送時や取り扱い時に漏れにくいようにするために、キャップを口頸部に螺合装着する態様が一般的である。しかし、キャップを螺合装着するタイプの容器では、取り扱い時に手指が水で濡れていたり、手指に洗浄剤等の内容物が付着していたりすると、手指が滑りやすくキャップの開閉操作が困難になる。
【０００４】
また、容器本体の口頸部にキャップを装着する態様としては、キャップを口頸部に嵌合装着する態様も提案されている。
例えば、上端に向かって縮径するテーパー状の口頸部の外壁面における下端部に係合凹部が形成され、キャップの内壁面における下端部に前記係合凹部と嵌合する係合凸部が形成された容器が挙げられる（例えば、特許文献１）。該容器においては、口頸部に嵌合装着されたキャップにおける対向する側壁の上下方向の中央部を内方に押圧することで、前記係合凹部と前記係合凸部の嵌合を解除し、その状態でキャップを上方に持ち上げることで、口頸部からキャップを取り外す。
しかし、該容器では、キャップの取り外しに二段階の操作が必要であり、また水や洗浄剤等の付着により手指が滑りやすいときにはキャップを取り外すことが困難である。
【０００５】
また、下端部の平面形状が八角形の口頸部と、下端部の平面形状が四角形のキャップとを備え、前記口頸部の外壁面における前記下端部よりも上側の部分に第１リブが形成され、前記キャップの内壁面に、キャップが口頸部に装着されたときに前記第１リブの下面に係止される第２リブが形成された容器が挙げられる（例えば、特許文献２）。該容器では、口頸部における下端部の８つの外面のうち、軸周りに一つおきの外面に対応する位置に第１リブ及び第２リブがそれぞれ配置されている。キャップを取り外す際は、口頸部に装着されたキャップを１／８回転だけ回動させ、第１リブと第２リブの嵌合を解除し、その状態でキャップを上方に持ち上げて取り外す。
しかし、該容器では、下端部の平面形状が八角形の口頸部に対して下端部の平面形状が四角形のキャップを回動させるのに力を要するため、水や洗浄剤等の付着により手指が滑りやすいときにはキャップを取り外すことが困難である。
【０００６】
また、上端に向かって縮径するテーパー状で、かつ平面形状が矩形状の口頸部の外壁面に係合凹部が形成され、平面形状が矩形状のキャップの内壁面に前記係合凹部と嵌合する係合凸部が形成された容器が挙げられる（例えば、特許文献３）。該容器では、キャップを取り外す際、口頸部に装着されたキャップを回動させて係合凹部と係合凸部の嵌合を解除し、その状態でキャップを上方に持ち上げて取り外す。
しかし、該容器では、平面形状が矩形状の口頸部に対して平面形状が矩形状のキャップを回動させるのに力を要するため、水や洗浄剤等の付着により手指が滑りやすいときにはキャップを取り外すことが困難である。
【先行技術文献】
【特許文献】
【０００７】
【特許文献１】実開昭４９−１２０６５１号公報
【特許文献２】特開平１０−３０５８５４号公報
【特許文献３】実開昭５５−７４６６１号公報
【発明の概要】
【発明が解決しようとする課題】
【０００８】
本発明は、容器本体に収容された内容物の漏れを充分に抑制でき、かつキャップの装着及び取り外しが容易な容器を提供することを目的とする。
【課題を解決するための手段】
【０００９】
本発明の容器は、口頸部を有し、液状または粉状の内容物を収容可能な容器本体と、前記口頸部に着脱自在に設けられたキャップとを備える容器であって、前記キャップは、前記口頸部に装着されたときに前記口頸部の外周面に沿わせられる外壁部を備え、前記口頸部に装着された状態で前記口頸部の軸周りの少なくとも一方向に回動でき、前記外壁部の内面と前記口頸部の外周面には、前記口頸部に対する前記キャップの相対的な上方移動を規制する係合部が形成され、前記口頸部の外周面には、上下方向に延び、かつ前記キャップの回動方向に傾斜した案内凸条部が形成され、前記外壁部の内面には、前記キャップが前記口頸部に装着されたときに前記案内凸条部の上面に接し、前記キャップが前記口頸部に装着された状態で回動されたときに前記案内凸条部の上面を摺動する案内突起が形成されている。
【００１０】
本発明の容器では、前記キャップが、前記口頸部内に一部挿入される計量筒部と、前記計量筒部の一側開口端を閉じる蓋部と、前記計量筒部の周面から外方に張り出し、前記口頸部の上端の開口部に被せられる張出板部と、前記張出板部の外縁部から垂下され、前記口頸部に装着されたときに前記口頸部の外周面に沿わせられる延出片からなる２つ以上の外壁部と、を備え、前記外壁部が軸周りに離間している計量キャップであることが好ましい。
また、前記延出片からなる外壁部が、前記計量キャップが前記口頸部に装着されたときに前記口頸部の軸線に対して対称位置となるように２つ形成されていることが好ましい。
【発明の効果】
【００１１】
本発明の容器は、容器本体に収容された内容物の漏れを充分に抑制でき、かつキャップの装着及び取り外しが容易である。
【図面の簡単な説明】
【００１２】
【図１】本発明の容器の一例を示した斜視図である。
【図２】図１の容器の上部側全体構造と断面構造を示すものであり、図２（ａ）は正面図であり、図２（ｂ）は断面図である。
【図３】図１の容器におけるノズル中栓を示すものであり、図３（ａ）は正面図であり、図３（ｂ）は側面図である。
【図４】図１の容器におけるキャップを示すものであり、図４（ａ）は正面図であり、図４（ｂ）は側面図であり、図４（ｃ）は倒立図である。
【図５】図１の容器においてキャップを外す様子を示した斜視図である。
【図６】図１の容器においてキャップを装着する様子を示した斜視図である。
【図７】本発明の容器の他の例を示した正面図である。
【図８】本発明の容器の他の例を示した正面図である。
【図９】本発明の容器の他の例を示した斜視図である。
【発明を実施するための形態】
【００１３】
以下、本発明の容器の一例を示して説明する。
本実施形態の容器１は、図１に示すように、液状または粉状の内容物を収容可能な容器本体２と、容器本体２に装着される計量キャップ３とを備える。
【００１４】
容器本体２は、柔軟剤、液体洗剤等の液体あるいは粉末状洗剤や粉末状柔軟剤等の粉体を収容可能なボトル型の中空容器である。容器本体２は、図１及び図２に示すように、略四角形状の底壁４と、底壁４の縁部から立ち上がる側壁５と、側壁５の先端から上方に向かって徐々に縮径するように延びる肩部６と、肩部６の中央の上端から突設された円筒状の突設筒部７と、突設筒部７に螺合装着されるノズル中栓８とから構成されている。
突設筒部７の外周面には、ネジ部７ａが形成されている。容器本体２の上部には、突設筒部７にノズル中栓８が螺合装着されることで円筒状の口頸部９が形成される。
【００１５】
ノズル中栓８は、突設筒部７に螺合される円筒状の筒壁部１０を有している。
筒壁部１０は、内周面における下部にネジ部１１ａを設けた外筒壁１１と、外筒壁１１の内周側に接続壁１２を介して下方に延設された内筒壁１３とを有している。
【００１６】
内筒壁１３は、外筒壁１１の下端より若干下方まで達するように外筒壁１１と平行に延出されている。内筒壁１３の下端には傾斜面１６ａを有する底壁部１６が設けられており、底壁部１６には注出口１６ｂが偏在して形成されている。すなわち、口頸部９の内側に注出口１６ｂが偏在して形成されている。底壁部１６における注出口１６ｂの周縁部には注出筒１７が立設されている。
【００１７】
底壁部１６において注出口１６ｂが偏在しているため、注出口１６ｂの周りに立設された注出筒１７も内筒壁１３内で偏在している。注出筒１７には、その側壁の中心軸線Ｃ１側に縦方向にスリット状の開口部１７ｂが形成されている。さらに注出筒１７は、上端部が中心軸線Ｃ１に向かって低くなるように傾斜した面１７ａが形成されるように斜め方向に切除されている。
【００１８】
ノズル中栓８は、内筒壁１３が突設筒部７の内側に挿入され、外筒壁１１のネジ部１１ａが容器本体２の突設筒部７のネジ部７ａに螺合されることで、容器本体２の突設筒部７に着脱自在に装着されている。
また、ノズル中栓８には、外筒壁１１と内筒壁１３との間の接続壁１２の下面から垂下された筒状のシールリップ部１５が形成されている。これにより、ノズル中栓８を容器本体２の突設筒部７に螺合により装着した状態において、シールリップ部１５が突設筒部７の開口部に密に挿入されることで、突設筒部７の開口部が液密に閉塞される。
【００１９】
ノズル中栓８における外筒壁１１の外周面、すなわち口頸部９の外周面には、中心軸線Ｃ１に対して対称位置（周方向対称位置）となるように、２つの案内凸条部１８が形成されている。
案内凸条部１８は、図２（ａ）及び図３に示すように、上下方向に延び、かつ計量キャップ３の回動方向（口頸部９の周方向）に傾斜している。より具体的には、この例の案内凸条部１８は、ほぼ計量キャップ３の回動方向に延びる凸条からなる第１案内部１８ａと、第１案内部１８ａの右側端部から斜め上方に傾斜して延びる第２案内部１８ｂとを備え、全体として下方に凸の略円弧状となっている。
【００２０】
案内凸条部１８は、外筒壁１１の軸周りにおいて、平面視における中心軸線Ｃ１を中心とする１５°〜２０°の範囲内に形成されている。
案内凸条部１８における第１案内部１８ａの軸周りの長さ（周方向の長さ）は、後述する第１係合凸部２０の軸周りの長さ（周方向の長さ）とほぼ同等になっている。また、計量キャップ３の回動方向（周方向）に対する案内凸条部１８における第２案内部１８ｂの傾斜角は、例えば４０〜７０゜とされる。
【００２１】
また、ノズル中栓８における外筒壁１１の外周面には、案内凸条部１８の左側端部から上方に延び、径方向の外方に突出するストッパー部１９が形成されている。ストッパー部１９が形成されていることにより、口頸部９に装着した状態の計量キャップ３を、平面視で軸周りに時計回り（右回り）に回動しようとすると、後述する案内突起２７がストッパー部１９に当接し、それ以上は回動しない。そのため、計量キャップ３が平面視で軸周りに時計回りに回動して後述する第１係合凸部２０と第２係合凸部２６の係合が解除されることが抑制されることで、計量キャップ３が口頸部９から予期せず外れることが抑制される。
【００２２】
また、ノズル中栓８における外筒壁１１の外周面、すなわち口頸部９の外周面における案内凸条部１８よりも上方の部分には、径方向の外方に突出し、計量キャップ３の回動方向に延びる凸条からなる第１係合凸部２０が形成されている。
第１係合凸部２０は、外筒壁１１の軸周りにおいて、平面視における中心軸線Ｃ１を中心とする１５°〜２０°の範囲内に形成されている。
【００２３】
計量キャップ３は、図４に示すように、円筒状の計量筒部２１と、計量筒部２１の一側開口端を閉じる蓋部２２と、計量筒部２１の周面から外方に張り出した平面視円環状の張出板部２３と、張出板部２３の外縁部から垂下された延出片からなり、計量キャップ３の装着時に筒壁部１０の外面に沿わせられる２つの外壁部２５と、を備えている。このように、計量キャップ３は、有蓋円筒形状で、高さ方向の中央に外方に張り出す張出板部２３を有している。また、張出板部２３の内周縁部には、下方に突出するリング部２４が形成されている。
なお、張出板部２３の外壁部２５より外側には、張出板部の外縁部から外側に突出した突出部が形成されていてもよい。
【００２４】
計量筒部２１は、注出筒１７を囲むように、その下端側の一部がノズル中栓８の筒壁部１０に挿入される。
計量筒部２１の周壁における２つの外壁部２５の間の部分には、図４（ｃ）に示すように、計量用の目盛線と容量表示用の数字を備えた目盛部２１ｂが印刷、刻印等の手段により形成されている。これにより、計量キャップ３を倒立させた状態で、計量筒部２１の開口部２１ａから注入された液体等の内容物の量を把握することができる。
張出板部２３は、計量筒部２１の周面から全周にわたって外方に張り出して平面視形状が円環状となっており、計量キャップ３が口頸部９に装着される際に、口頸部９におけるノズル中栓８の筒壁部１０上端の開口部に被せられる。また、リング部２４が筒壁部１０の開口部に密に挿入されることで、筒壁部１０の開口部が液密に閉塞される。
【００２５】
外壁部２５は、下端に向かって幅が狭くなっている正面視舌型の薄型片であり、その下端部２５ａは正面視曲線状になっている。
２つの外壁部２５は、張出板部２３の周回りに１８０゜間隔で、すなわち計量キャップ３が口頸部９に装着されたときに中心軸線Ｃ１に対して対称位置（周方向対称位置）となるように軸周りに離間して形成されている。２つの外壁部２５は、計量キャップ３の装着時に、筒壁部１０の外周面における案内凸条部１８及び第１係合凸部２０が形成された部分に沿わせられる。
【００２６】
計量キャップ３における外壁部２５の内面には、計量キャップ３の装着時に外筒壁１１の第１係合凸部２０に係合する第２係合凸部２６と、外筒壁１１の案内凸条部１８の上面に接する案内突起２７が形成されている。
【００２７】
第２係合凸部２６は、図２（ａ）に示すように、外壁部２５の内面において、計量キャップ３を口頸部９に装着したときに外筒壁１１の第１係合凸部２０の下側に係合するように形成されている。第１係合凸部２０及び第２係合凸部２６により係合部２８が形成される。計量キャップ３の装着時に係合部２８の第１係合凸部２０と第２係合凸部２６が係合することで、口頸部９に対する計量キャップ３の相対的な上方移動を規制することができる。これにより、装着した計量キャップ３が予期せず上方に抜けることを抑制できる。
【００２８】
案内突起２７は、外壁部２５の内面における第２係合凸部２６よりも下方の部分において、計量キャップ３を口頸部９に装着したときに、外筒壁１１の案内凸条部１８における第１案内部１８ａの上面に接するように形成されている。
【００２９】
計量キャップ３は、口頸部９に装着された状態において平面視で軸周りに反時計回り（左回り）に回動できるようになっている。口頸部９に装着した計量キャップ３を平面視で軸周りに反時計回りに回動させたときには、案内突起２７は案内凸条部１８の上面を摺動するようになっている。一方、計量キャップ３は、前記したように、口頸部９に装着された状態において平面視で軸周りに時計回り（右回り）に回動させると、案内突起２７がストッパー部１９に当接してそれ以上回動しないようになっている。
【００３０】
この例の案内突起２７の正面視形状は、円形状になっている。
本発明では、案内突起が案内凸条部の上面を摺動しやすい点では、案内突起の正面視形状は円形状が好ましい。なお、案内突起が案内凸条部の上面を摺動できる範囲であれば、案内突起の正面視形状は円形状以外の形状であってもよい。
【００３１】
外壁部２５は、弾性が付与されていることが好ましい。これにより、計量キャップ３の装着時に、係合部２８の第１係合凸部２０と第２係合凸部２６とを容易に係合させることができる。
外壁部２５に弾性が付与する態様としては、特に限定されず、例えば、弾性を有する樹脂によって外壁部２５を形成する態様が挙げられる。
【００３２】
（製造方法）
容器本体２の底壁４、側壁５、肩部６及び突設筒部７の製造方法としては、例えばポリエチレン等のオレフィン系合成樹脂を用いたブロー成型等により一体として成型する方法が挙げられる。容器本体２のノズル中栓８の製造方法としては、例えばポリプロピレン等のオレフィン系合成樹脂を用いた射出成型により一体として成型する方法が挙げられる。計量キャップ３の製造方法としては、例えばポリエチレン等のオレフィン系合成樹脂を用いた射出成型により一体として成型する方法が挙げられる。
なお、容器本体２及び計量キャップ３の製造方法は、前記した方法には限定されない。
【００３３】
（作用効果）
以下、容器１における計量キャップ３の取り外し操作、計量操作及び取り付け操作について説明する。
使用前の容器１においては、図２（ｂ）に示すように、容器本体２内に内容物が収容された状態で、注出筒１７を上向きとしてノズル中栓８の内筒壁１３が突設筒部７に装着される。突設筒部７の開口部は、ノズル中栓８のシールリップ部１５によって液密に閉塞されるため、突設筒部７のネジ部７ａとノズル中栓８のネジ部１１ａの螺合部分を介する液漏れが防止される。
【００３４】
口頸部９のノズル中栓８に計量キャップ３が装着された状態においては、図２（ａ）に示すように、計量キャップ３の２つの外壁部２５が、筒壁部１０の外周面における案内凸条部１８及び第１係合凸部２０が形成された部分に沿わせられている。そして、２つの外壁部２５によってノズル中栓８の筒壁部１０が挟み込まれるようになっている。
また、この状態では、口頸部９の外周面に形成された第１係合凸部２０の下面に、計量キャップ３に形成された第２係合凸部２６が係合している。これにより、口頸部９に対する計量キャップ３の相対的な上方移動が規制されている。
【００３５】
また、計量キャップ３に形成された案内突起２７は、口頸部９の外周面に形成された案内凸条部１８における第１案内部１８ａの上面に接している。この例の口頸部９の外周面には、案内凸条部１８の左側端部から上方に延びるストッパー部１９が形成されているため、口頸部９に装着した計量キャップ３を平面視で軸周り時計回りに回動しようとしても、案内突起２７がストッパー部１９に当接してそれ以上回動しない。そのため、計量キャップ３が予期せず軸周りに時計方向に回動して第１係合凸部２０と第２係合凸部２６の係合が解除されることが抑制され、その結果、計量キャップ３が口頸部９から予期せず外れることが抑制される。
【００３６】
容器１を使用する際は、計量キャップ３の上部を指で摘み、計量キャップ３を平面視で軸周りに反時計回りに回動させる。このとき、図５に示すように、計量キャップ３の案内突起２７が案内凸条部１８における第１案内部１８ａの上面を摺動し、また第２係合凸部２６が第１係合凸部２０の下面を摺動して第１係合凸部２０と第２係合凸部２６の係合が解除される。さらに計量キャップ３を反時計周りに回動させることで、案内突起２７が案内凸条部１８における第２案内部１８ｂの上面を摺動し、計量キャップ３を斜め上方に移動させる力が作用する。これにより、図５の矢印ａに示すように案内突起２７が案内凸条部１８に沿ってせり上がり、その結果として計量キャップ３が回動しつつ斜め上方に移動することで、計量キャップ３を取り外すことができる。
【００３７】
その後、図４（ｃ）に示すように計量キャップ３を倒立させ、ノズル中栓８の注出筒１７の先端を下向きとするように容器本体２を傾けて、容器本体２内の内容物を注出口１６ｂから注出筒１７を通じて計量筒部２１に注入する。計量キャップ３の計量筒部２１への内容物の注入量は、目盛部２１ｂにより把握することができる。
計量操作を行う際の計量キャップ３では、目盛部２１ｂの周囲に存在するのは、張出板部２３の周方向対称位置に設けられた２つの外壁部２５，２５のみである。そのため、外壁部２５，２５の間から目盛部２１ｂが視認しやすく、計量筒部２１に収容した内容物の量を正確に把握することができる。
計量を終えて内容物を使用した後は、筒壁部１０の外周面における案内凸条部１８及び第１係合凸部２０が形成された部分に外壁部２５の位置を合わせつつ、図６の矢印ｂに示すように、計量筒部２１をノズル中栓８の筒壁部１０に挿入して装着する。
【００３８】
以上説明した本発明の容器においては、キャップの外壁部の内面と口頸部の外周面に形成された係合部の作用によって、口頸部に対するキャップの相対的な上方移動が規制されるため、容器本体に収容された内容物の漏れを充分に抑制できる。
また、本発明の容器では、口頸部に装着したキャップを容易に軸周りに回動させることができ、そのときに該キャップの案内突起が口頸部の案内凸条部の上面を摺動することでキャップがせり上がるため、キャップの取り外しが容易である。また、従来のネジ部を介して螺合装着するキャップは取り外す際に軸周りに何周も回動させる必要があるのに対して、本発明の容器ではキャップを軸周りに数分の一周回動させるだけで容易に取り外すことができる。
また、本発明の容器では、キャップの外壁部の位置を行いつつ、口頸部に上方から容易にキャップを装着することができる。
【００３９】
なお、本発明の容器は、前記した容器１には限定されない。
例えば、本発明の容器は、図７に例示した容器１Ａであってもよい。図７における図２（ａ）と同じ部分は同符号を付して説明を省略する。容器１Ａは、口頸部９の代わりに口頸部９Ａを備える以外は、容器１と同じである。
口頸部９Ａは、案内凸条部１８の代わりに、案内凸条部１８における第１案内部１８ａの左側端部から上下方向に延び、かつ計量キャップ３の回動方向に傾斜した第３案内部１８ｃをさらに有する案内凸条部１８Ａが形成されたノズル中栓８Ａを備える以外は、口頸部９と同じである。
【００４０】
容器１Ａにおいては、口頸部９Ａに装着した計量キャップ３を平面視で軸周りに時計回りに回動させた場合にも、案内突起２７が案内凸条部１８Ａにおける第３案内部１８ｃの上面を摺動することで、反時計回りに回動させた場合と同様に計量キャップ３がせり上がるため計量キャップ３を容易に取り外すことができる。
【００４１】
容器１Ａにおいては、第１係合凸部２０における、正面視で周方向における案内凸条部１８Ａの底部に対応する位置から左端までの長さが、当該位置から右端までの長さよりも長くなるようにしてもよい。この場合、装着した計量キャップ３を平面視で軸周りに時計回りに回動させたときには第１係合凸部２０と第２係合凸部２６との係合が外れやすく、反時計回りに回動させたときには第１係合凸部２０と第２係合凸部２６との係合が外れにくくなる。これにより、計量キャップ３を取り外す際の計量キャップ３の回動方向を規制することができる。
計量キャップ３を軸周りにどちらに回動させても計量キャップ３を取り外すことができるようにする場合は、第１係合凸部２０における、正面視で周方向における案内凸条部１８Ａの底部に対応する位置から左端までの長さと、当該位置から右端までの長さを等しくして、軸周りの両方向への回動しやすさが同じになるようにすればよい。
【００４２】
また、本発明の容器は、図８に例示した容器１Ｂであってもよい。図８における図２（ａ）と同じ部分は同符号を付して説明を省略する。容器１Ｂは、計量キャップ３の代わりに計量キャップ３Ａを備える以外は、容器１と同じである。
計量キャップ３Ａは、延出片からなる外壁部２５の代わりに、張出板部２３の外縁部の全周から垂下された円筒状の外壁部２５Ａを備える以外は、計量キャップ３と同じである。
【００４３】
容器１Ｂにおいても、容器１と同様に、容器本体２に収容された内容物の漏れを充分に抑制でき、また口頸部９に装着された計量キャップ３Ａを回動させることで容易に計量キャップ３Ａを取り外すことができる。また、容器１Ｂでは、容器１と同様に、計量キャップ３Ａの装着も容易である。
容器１Ｂのような、筒状の外壁部を備えるキャップを備える容器は、計量筒部を有さず、外壁部よりも外側から目盛部を視認する必要がない場合等に有用である。計量筒部を備える計量キャップを備える容器の場合は、目盛部の視認性の点から、容器１、１Ａのような延出片からなる外壁部を有する計量キャップを備える容器が好ましい。
【００４４】
また、本発明の容器においては、案内凸条部と案内突起の数は、特に限定されず、例えば、三対以上であってもよい。また、口頸部の外周面及び外壁部の内面において、案内凸条部と案内突起が形成される位置は、口頸部の軸線に対して対称となる位置には限定されない。
本発明の容器におけるキャップが延出片からなる外壁部を備える場合、該外壁部の数は、案内凸条部と案内突起の数に応じて適宜設定すればよい。また、延出片からなる外壁部の場合、その正面視形状は舌型には限定されず、例えば、矩形状、半円状等であってもよい。
【００４５】
本発明の容器においては、口頸部の外周面及び外壁部の内面において、案内凸条部及び案内突起部と、係合部の位置は特に限定されない。例えば、口頸部の外周面及び外壁部の内面において、案内凸条部及び案内突起部よりも下方に係合部が形成されていてもよい。
また、本発明の容器は、計量機能を有しないキャップを備えるものであってもよい。
また、本発明の容器は、ノズル中栓を有しない容器であってもよい。
【００４６】
また、本発明の容器においては、口頸部は円筒状には限定されない。例えば、軸方向に対して垂直方向に切断した断面形状が、円における一部が切り欠かれた形状や楕円状等の口頸部を備える容器であってもよい。
具体的には、例えば、図９に例示した容器１Ｃであってもよい。図９における図１と同じ部分には同符号を付して説明を省略する。容器１Ｃは、口頸部９の代わりに口頸部９Ｂを備える以外は容器１と同じである。口頸部９Ｂは、突設筒部とノズル中栓が一体に形成され、かつ軸方向に対して垂直方向に切断した断面形状が、円形における両方の側面側（対向する２つの案内凸条部１８の間）で切り欠かれた形状である以外は、口頸部９と同じである。
容器１Ｃにおいても、容器１と同様に、容器本体２に収容された内容物の漏れを充分に抑制でき、また口頸部９Ｂに装着された計量キャップ３を回動させることで容易に計量キャップ３を取り外すことができる。また、容器１Ｃでは、容器１と同様に、計量キャップ３の装着も容易である。
【符号の説明】
【００４７】
１，１Ａ〜１Ｃ  容器
２  容器本体
３，３Ａ  計量キャップ
７  突設筒部
８  ノズル中栓
９，９Ａ，９Ｂ  口頸部
１０  筒壁部
１８，１８Ａ  案内凸条部
１８ａ  第１案内部
１８ｂ  第２案内部
１８ｃ  第３案内部
１９  ストッパー部
２０  第１係合凸部
２１  計量筒部
２５，２５Ａ  外壁部
２６  第２係合凸部
２７  案内突起
２８  係合部
【図１】
2016101945.tif 000003
【図２】
2016101945.tif 000004
【図３】
2016101945.tif 000005
【図４】
2016101945.tif 000006
【図５】
2016101945.tif 000007
【図６】
2016101945.tif 000008
【図７】
2016101945.tif 000009
【図８】
2016101945.tif 000010
【図９】
2016101945.tif 000011